(57)【特許請求の範囲】
【請求項１】
４３０ｎｍ以上４７０ｎｍ以下の範囲に発光ピーク波長を有する発光素子と、蛍光部材とを備え、相関色温度が３５００Ｋ以上４５００Ｋ以下の光を発する発光装置であって、
前記蛍光部材は、下記式（１）で示される組成を有する第一蛍光体と、下記式（２）で示される組成を有する第二蛍光体と、下記式（３）で示される組成を有する第三蛍光体と、下記式（４）で示される組成を有する第四蛍光体とを含み、
前記第一蛍光体乃至前記第四蛍光体の総蛍光体量に対する前記第一蛍光体の含有比率が１６．５質量％以上５０．０質量％以下であり、
前記総蛍光体量に対する前記第二蛍光体の含有比率が２８．０質量％以上３３．０質量％以下であり、
前記総蛍光体量に対する前記第三蛍光体の含有比率が２０．０質量％以上３５．０質量％以下であり、
前記総蛍光体量に対する前記第四蛍光体の含有比率が３．０質量％以上３．２質量％以下である発光装置。
Ｓｒ４Ａｌ１４Ｏ２５：Ｅｕ  （１）
（ｘ-ｓ）ＭｇＯ・（ｓ/２）Ｓｃ２Ｏ３・ｙＭｇＦ２・ｕＣａＦ２・（１-ｔ）ＧｅＯ２・（ｔ/２）Ｍｔ２Ｏ３：ｚＭｎ４+    （２）
（式（２）中、ＭｔはＡｌ、Ｇａ及Ｉｎからなる群から選択される少なくとも１種であり、ｘ、ｙ、ｚ、ｓ、ｔ及びｕはそれぞれ、２≦ｘ≦４、０＜ｙ＜１．５、０＜ｚ＜０．０５、０≦ｓ＜０．５、０＜ｔ＜０．５、及び０≦ｕ＜１．５を満たす。）
Ｙ３Ａｌ５Ｏ１２：Ｃｅ    （３）
（Ｓｒ，Ｃａ）ＡｌＳｉＮ３：Ｅｕ    （４）
【請求項２】
前記第三蛍光体に対する前記第一蛍光体の含有比が、０．４０以上２．６０以下である請求項１に記載の発光装置。
【請求項３】
前記発光素子の発光ピークに対する前記第一蛍光体の発光ピークの強度比が、０．４０以上０．７５以下である請求項１または２に記載の発光装置。
【請求項４】
平均演色評価数Ｒａが９０以上であり、
特殊演色評価数Ｒ９、Ｒ１０、Ｒ１１、Ｒ１２、Ｒ１３、Ｒ１４及びＲ１５が、いずれも６０以上であり、
前記特殊演色評価数Ｒ９、Ｒ１０、Ｒ１１、Ｒ１２、Ｒ１３、Ｒ１４及びＲ１５の総和が６００以上である請求項１から３のいずれか１項に記載の発光装置。
【請求項５】
４３０ｎｍ以上４７０ｎｍ以下の範囲に発光ピーク波長を有する発光素子と、蛍光部材とを備え、相関色温度が４５００Ｋ以上５５００Ｋ以下の光を発する発光装置であって、
前記蛍光部材は、下記式（１）で示される組成を有する第一蛍光体と、下記式（２）で示される組成を有する第二蛍光体と、下記式（３）で示される組成を有する第三蛍光体と、下記式（４）で示される組成を有する第四蛍光体とを含み、
前記第一蛍光体乃至前記第四蛍光体の総蛍光体量に対する前記第一蛍光体の含有比率が７．０質量％以上５５．０質量％以下であり、
前記総蛍光体量に対する前記第二蛍光体の含有比率が２２．０質量％以上３１．０質量％以下であり、
前記総蛍光体量に対する前記第三蛍光体の含有比率が２０．０質量％以上５５．０質量％以下であり、
前記総蛍光体量に対する前記第四蛍光体の含有比率が２．８質量％以上３．０質量％以下である発光装置。
Ｓｒ４Ａｌ１４Ｏ２５：Ｅｕ  （１）
（ｘ-ｓ）ＭｇＯ・（ｓ/２）Ｓｃ２Ｏ３・ｙＭｇＦ２・ｕＣａＦ２・（１-ｔ）ＧｅＯ２・（ｔ/２）Ｍｔ２Ｏ３：ｚＭｎ４+    （２）
（式（２）中、ＭｔはＡｌ、Ｇａ及Ｉｎからなる群から選択される少なくとも１種であり、ｘ、ｙ、ｚ、ｓ、ｔ及びｕはそれぞれ、２≦ｘ≦４、０＜ｙ＜１．５、０＜ｚ＜０．０５、０≦ｓ＜０．５、０＜ｔ＜０．５、及び０≦ｕ＜１．５を満たす。）
Ｙ３Ａｌ５Ｏ１２：Ｃｅ    （３）
（Ｓｒ，Ｃａ）ＡｌＳｉＮ３：Ｅｕ    （４）
【請求項６】
前記第三蛍光体に対する前記第一蛍光体の含有比が、０．３０以上２．７０以下である請求項５に記載の発光装置。
【請求項７】
前記発光素子の発光ピークに対する前記第一蛍光体の発光ピークの強度比が、０．３４以上０．６０以下である請求項５または６に記載の発光装置。
【請求項８】
平均演色評価数Ｒａが９０以上であり、
特殊演色評価数Ｒ９、Ｒ１０、Ｒ１１、Ｒ１２、Ｒ１３、Ｒ１４及びＲ１５が、いずれも６０以上であり、
前記特殊演色評価数Ｒ９、Ｒ１０、Ｒ１１、Ｒ１２、Ｒ１３、Ｒ１４及びＲ１５の総和が５７０以上である請求項５から７のいずれか１項に記載の発光装置。
【請求項９】
４３０ｎｍ以上４７０ｎｍ以下の範囲に発光ピーク波長を有する発光素子と、蛍光部材とを備え、相関色温度が５５００Ｋ以上７０００Ｋ以下の光を発する発光装置であって、
前記蛍光部材は、下記式（１）で示される組成を有する第一蛍光体と、下記式（２）で示される組成を有する第二蛍光体と、下記式（３）で示される組成を有する第三蛍光体と、下記式（４）で示される組成を有する第四蛍光体とを含み、
前記第一蛍光体乃至前記第四蛍光体の総蛍光体量に対する前記第一蛍光体の含有比率が１５．０質量％以上４０．０質量％以下であり、
前記総蛍光体量に対する前記第二蛍光体の含有比率が１８．０質量％以上２０．０質量％以下であり、
前記総蛍光体量に対する前記第三蛍光体の含有比率が３５．０質量％以上６０．０質量％以下であり、
前記総蛍光体量に対する前記第四蛍光体の含有比率が２．６質量％以上２．７質量％以下である発光装置。
Ｓｒ４Ａｌ１４Ｏ２５：Ｅｕ  （１）
（ｘ-ｓ）ＭｇＯ・（ｓ/２）Ｓｃ２Ｏ３・ｙＭｇＦ２・ｕＣａＦ２・（１-ｔ）ＧｅＯ２・（ｔ/２）Ｍｔ２Ｏ３：ｚＭｎ４+    （２）
（式（２）中、ＭｔはＡｌ、Ｇａ及Ｉｎからなる群から選択される少なくとも１種であり、ｘ、ｙ、ｚ、ｓ、ｔ及びｕはそれぞれ、２≦ｘ≦４、０＜ｙ＜１．５、０＜ｚ＜０．０５、０≦ｓ＜０．５、０＜ｔ＜０．５、及び０≦ｕ＜１．５を満たす。）
Ｙ３Ａｌ５Ｏ１２：Ｃｅ    （３）
（Ｓｒ，Ｃａ）ＡｌＳｉＮ３：Ｅｕ    （４）
【請求項１０】
前記第三蛍光体に対する前記第一蛍光体の含有比が、０．３０以上１．００以下である請求項９に記載の発光装置。
【請求項１１】
前記発光素子の発光ピークに対する前記第一蛍光体の発光ピークの強度比が、０．２５以上０．４２以下である請求項９または１０に記載の発光装置。
【請求項１２】
平均演色評価数Ｒａが９０以上であり、
特殊演色評価数Ｒ９、Ｒ１０、Ｒ１１、Ｒ１２、Ｒ１３、Ｒ１４及びＲ１５が、いずれも６０以上であり、
前記特殊演色評価数Ｒ９、Ｒ１０、Ｒ１１、Ｒ１２、Ｒ１３、Ｒ１４及びＲ１５の総和が６１０以上である請求項９から１１のいずれか１項に記載の発光装置。
【請求項１３】
前記第一蛍光体の発光スペクトルにおける半値幅が、５８ｎｍ以上７８ｎｍ以下である請求項１から１２のいずれか１項に記載の発光装置。
【請求項１４】
前記第二蛍光体の発光スペクトルにおける半値幅が、４５ｎｍ以下である請求項１から１３のいずれか１項に記載の発光装置。
【請求項１５】
前記第三蛍光体の発光スペクトルにおける半値幅が、９５ｎｍ以上１１５ｎｍ以下である請求項１から１４のいずれか１項に記載の発光装置。
【請求項１６】
前記第四蛍光体の発光スペクトルにおける半値幅が、８０ｎｍ以上１００ｎｍ以下である請求項１から１５のいずれか１項に記載の発光装置。
【請求項１７】
前記発光素子は、４４０ｎｍ以上４６０ｎｍ以下の波長範囲に発光ピークを有する請求項１から１６のいずれか１項に記載の発光装置。
【発明の詳細な説明】
【技術分野】
【０００１】
本開示は、発光装置に関する。
【背景技術】
【０００２】
発光ダイオード（以下、「ＬＥＤ」とも記載する。）を用いて白色系の光を発する発光装置として、例えば、青色に発光するＬＥＤと黄色に発光する蛍光体とを組み合わせた発光装置がある。この発光装置は、ＬＥＤの青色光と、その光によって励起された蛍光体による黄色光とが混色することにより白色系の光を発する。
【０００３】
このような発光装置では、可視光領域における放射強度が強く発光効率は高いが、青緑色領域及び赤色領域における放射強度が充分に得られない場合がある。そのため照射物の色の見え方（演色性）の指数である平均演色評価指数に更なる改良の余地がある。
【０００４】
ところで、光源の演色性の評価手順はＪＩＳ  Ｚ８７２６によって、所定の反射率特性を有する試験色（Ｒ１〜Ｒ１５）を、試験光源と基準光源とでそれぞれ測色した場合の色差ΔＥｉ（ｉは１から１５の整数）がどうなるかを数値計算して算出すると定められている。ここで演色評価数Ｒｉ（ｉは１から１５の整数）の上限は１００である。つまり、試験光源とそれに対応する色温度の基準光源の色差が小さいほど、演色性評価値は１００に近づき高くなる。
【０００５】
光源の演色性を高めるため、青色に発光するＬＥＤと、緑色から黄色に発光する２種類の蛍光体として例えば、クロロシリケート蛍光体と、ＹまたはＴｂのガーネット蛍光体とを用いた発光装置が提案されている（例えば、特許文献１参照）。また、さらに演色性を高めるため、緑色から黄色に発光する蛍光体に加え、赤色に発光する蛍光体を用いた発光装置が提案されている（例えば、特許文献２参照）。
【先行技術文献】
【特許文献】
【０００６】
【特許文献１】特表２００３−５３５４７７号公報
【特許文献２】特開２００８−０３４１８８号公報
【発明の概要】
【発明が解決しようとする課題】
【０００７】
照明用途の発光装置は、例えば、家庭などで用いられる一般照明から医療用照明、美術館など高い演色性が求められる特殊照明まで幅広いニーズがある。このような各種用途で要求される色温度における基準光源に合うように発光スペクトルの制御を行い、各Ｒｉの色差が極めて小さい光源を得ることは容易ではない。特に、黄色から緑色の蛍光体と赤色の蛍光体の多種類の蛍光体を組み合わせて白色系の混色光を得ようとするとき、黄色の蛍光体を一種類使う場合と比較して、各蛍光体の発光スペクトルにおける各色成分の調節が複雑になる。さらに、基準光源に対して特定のＲｉの式差が極めて小さい発光スペクトルを得ようとした場合、他の何れかの式差にずれが生じる可能性が高くなる。
【０００８】
そこで、本発明の一実施形態は、上述したような課題を解決し、優れた演色性を達成可能な発光装置を提供することを目的とする。
【課題を解決するための手段】
【０００９】
前記課題を解決するため、本発明に係る第一の実施形態は、４３０ｎｍ以上４７０ｎｍ以下の範囲に発光ピーク波長を有する発光素子と、蛍光部材とを備え、相関色温度が３５００Ｋ以上４５００Ｋ以下の光を発する発光装置であって、蛍光部材は、Ｅｕで賦活されアルカリ土類アルミン酸塩を含む第一蛍光体と、Ｍｎで賦活されフルオロジャーマネートを含む第二蛍光体と、Ｃｅで賦活され希土類アルミン酸塩を含む第三蛍光体と、Ｅｕで賦活されＳｒ、Ｃａ、Ａｌを組成に有するシリコンナイトライドを含む第四蛍光体とを含み、第一蛍光体乃至第四蛍光体の総蛍光体量に対する前記第一蛍光体の含有比率が３．０質量％以上５５．０質量％以下である発光装置を包含する。
【００１０】
前記課題を解決するため、本発明に係る第二の実施形態は、４３０ｎｍ以上４７０ｎｍ以下の範囲に発光ピーク波長を有する発光素子と、蛍光部材とを備え、相関色温度が４５００Ｋ以上５５００Ｋ以下の光を発する発光装置であって、蛍光部材は、Ｅｕで賦活されアルカリ土類アルミン酸塩を含む第一蛍光体と、Ｍｎで賦活されフルオロジャーマネートを含む第二蛍光体と、Ｃｅで賦活され希土類アルミン酸塩を含む第三蛍光体と、Ｅｕで賦活されＳｒ、Ｃａ、Ａｌを組成に有するシリコンナイトライドを含む第四蛍光体とを含み、第一蛍光体乃至第四蛍光体の総蛍光体量に対する第一蛍光体の含有比率が３．５質量％以上６５．０質量％以下である発光装置を包含する。
【００１１】
前記課題を解決するため、本発明に係る第三の実施形態は、４３０ｎｍ以上４７０ｎｍ以下の範囲に発光ピーク波長を有する発光素子と、蛍光部材とを備え、相関色温度が５５００Ｋ以上７０００Ｋ以下の光を発する発光装置であって、蛍光部材は、Ｅｕで賦活されアルカリ土類アルミン酸塩を含む第一蛍光体と、Ｍｎで賦活されフルオロジャーマネートを含む第二蛍光体と、Ｃｅで賦活され希土類アルミン酸塩を含む第三蛍光体と、Ｅｕで賦活されＳｒ、Ｃａ、Ａｌを組成に有するシリコンナイトライドを含む第四蛍光体とを含み、第一蛍光体乃至第四蛍光体の総蛍光体量に対する第一蛍光体の含有比率が７．５質量％以上５５．０質量％以下である発光装置を包含する。
【発明の効果】
【００１２】
本開示に係る一実施形態によれば、高い演色性を達成可能な発光装置を提供することができる。
【図面の簡単な説明】
【００１３】
【図１】図１は、本実施形態に係る発光装置の一例を示す概略断面図である。
【図２】図２は、実施例１及び２、比較例１及び２に係る発光装置の発光スペクトルを例示する図である。
【図３】図３は、実施例３及び４、比較例１及び３に係る発光装置の発光スペクトルを例示する図である。
【図４】図４は、実施例５から７、比較例４に係る発光装置の発光スペクトルを例示する図である。
【図５】図５は、実施例８及び９、比較例４に係る発光装置の発光スペクトルを例示する図である。
【図６】図６は、実施例１０、比較例４及び５に係る発光装置の発光スペクトルを例示する図である。
【図７】図７は、実施例１１から１３、比較例６に係る発光装置の発光スペクトルを例示する図である。
【図８】図８は、実施例１４及び１５、比較例６及び７に係る発光装置の発光スペクトルを例示する図である。
【発明を実施するための形態】
【００１４】
以下、本発明を実施するための形態について説明する。ただし、以下に示す実施の形態は、本発明の技術思想を具体化するための、発光装置を例示するものであって、本発明は、以下の発光装置に限定されない。なお、本明細書において色名と色度座標との関係、光の波長範囲と単色光の色名との関係等は、ＪＩＳ  Ｚ８１１０に従う。また、組成物中の各成分の含有量は、組成物中に各成分に該当する物質が複数存在する場合、特に断らない限り、組成物中に存在する当該複数の物質の合計量を意味する。
【００１５】
図１に、本発明の一実施形態に係る発光装置１００の概略断面図を示す。発光装置１００は、４３０ｎｍ以上４７０ｎｍ以下の範囲に発光ピーク波長を有する発光素子１０と、蛍光部材５０とを備える。そして、蛍光部材５０は、Ｅｕで賦活されアルカリ土類アルミン酸塩を含む第一蛍光体７１と、Ｍｎで賦活されフルオロジャーマネートを含む第二蛍光体７２と、Ｃｅで賦活され希土類アルミン酸塩を含む第三蛍光体７３と、Ｅｕで賦活されＳｒ、Ｃａ、Ａｌを組成に有するシリコンナイトライドを含む第四蛍光体７４とを含む。以下では、第一蛍光体７１と、第二蛍光体７２と、第三蛍光体７３と、第四蛍光体７４を合わせて、蛍光体７０と呼ぶ。
【００１６】
４３０ｎｍ以上４７０ｎｍ以下の範囲に発光ピーク波長を有する発光素子１０と、第一蛍光体７１乃至第四蛍光体７４を組み合わせて用いることにより、短波側から長波側まで比較的広い範囲において発光装置の発光スペクトルを基準光源のスペクトルに近づけることができる。これにより、優れた演色性を達成することが可能となる。
【００１７】
演色性についてＣＩＥ（国際照明委員会）は、蛍光ランプが具備すべき演色性の指針を１９８６年に公表しており、その指針によれば、使用される場所に応じた好ましい平均演色評価数（以下、Ｒａと記載する）は、一般作業を行う工場では６０以上８０未満、住宅、ホテル、レストラン、店舗、オフィス、学校、病院、精密作業を行う工場などでは８０以上９０未満、高い演色性が求められる臨床検査を行う場所、美術館などでは９０以上とされている。
【００１８】
発光装置１００のＲａは、例えば８０以上であり、９０以上が好ましく、９５以上がより好ましい。なおＲａの上限は１００である。また特殊演色評価数はＲ９からＲ１５の評価数で表わされ、Ｒ９は赤色、Ｒ１０は黄色、Ｒ１１は緑色、Ｒ１２は青色、Ｒ１３は西洋人の肌の色、Ｒ１４は木の葉の色、Ｒ１５は日本人の肌の色とされている。特に、食肉などを扱う環境下で使用される照明装置ではＲ９の評価数が着目されたり、アパレルや写真撮影関連の環境下では、各色に対する見え方の忠実度が要求されたりすることが多い。特殊演色性評価数においても高いほど好ましいとされており、本実施形態の発光装置のＲ９〜Ｒ１５は例えば、４０以上であり、５０以上が好ましく、６０以上がより好ましい。Ｒ９〜Ｒ１５の上限はそれぞれ１００である。
【００１９】
発光装置１００が発する光は、発光素子１０の光と、第一蛍光体７１、第二蛍光体７２、第三蛍光体７３並びに第四蛍光体７４とが発する蛍光との混色光であり、例えば、ＣＩＥ１９３１に規定される色度座標が、ｘ＝０．００から０．５０且つｙ＝０．００から０．５０の範囲に含まれる光とすることができ、ｘ＝０．２５から０．４０且つｙ＝０．２５から０．４０の範囲に含まれる光とすることもできる。
【００２０】
発光装置１００が発する光の相関色温度は、例えば３０００Ｋ以上とすることができ、３５００Ｋ以上とすることもでる。また相関色温度は７５００Ｋ以下とすることができ、７０００Ｋ以下とすることもできる。
【００２１】
以下、発光装置１００について、より詳細に説明する。発光装置１００は、可視光の短波長側（例えば、３８０ｎｍ以上４８５ｎｍ以下の範囲）の光を発し、発光ピーク波長が４３０ｎｍ以上４７０ｎｍ以下の範囲内にある窒化ガリウム系化合物半導体の発光素子１０と、発光素子１０を載置する成形体４０と、を有する。成形体４０は、第１のリード２０及び第２のリード３０と、熱可塑性樹脂又は熱硬化性樹脂を含む樹脂部４２とが一体的に成形されてなるものである。成形体４０は底面と側面を持つ凹部を形成しており、凹部の底面に発光素子１０が載置されている。発光素子１０は一対の正負の電極を有しており、その一対の正負の電極はそれぞれ第１のリード２０及び第２のリード３０とワイヤ６０を介して電気的に接続されている。発光素子１０は蛍光部材５０により被覆されている。
【００２２】
［蛍光部材５０］
蛍光部材５０は、発光素子１０からの光を波長変換する蛍光体７０と樹脂を含有してなる。樹脂は、例えば、エポキシ樹脂、シリコーン樹脂、エポキシ変性シリコーン樹脂、変性シリコーン樹脂等の熱硬化性樹脂を含むことが好ましい。蛍光体７０は、第一蛍光体７１、第二蛍光体７２、第三蛍光体７３並びに第四蛍光体７４を含む。また、蛍光部材５０には蛍光体７０が含有されているが、さらに適宜、その他の材料を添加することもできる。例えば、光拡散材を含むことで、発光素子からの指向性を緩和させ、視野角を増大させることができる。
【００２３】
蛍光部材５０は、発光素子１０が発する光の蛍光体７０を含む波長変換部材としてだけではなく、外部環境から発光素子１０を保護するための部材としても機能する。図１では、蛍光体７０は蛍光部材５０中で偏在している。このように発光素子１０に接近して蛍光体７０を配置することにより、発光素子１０からの光を効率よく波長変換することができ、発光効率の優れた発光装置とできる。なお、蛍光体７０を含む蛍光部材５０と、発光素子１０との配置は、それらを接近して配置させる形態に限定されることなく、蛍光体７０への熱の影響を考慮して、蛍光部材５０中で発光素子１０と、蛍光体７０との間隔を空けて配置することもできる。また蛍光体７０を蛍光部材５０の全体にほぼ均一の割合で混合することによって、色ムラがより抑制される。
【００２４】
［発光素子１０］
発光素子１０の発光ピーク波長は、４３０ｎｍ以上４７０ｎｍ以下の範囲にあり、４４０ｎｍ以上４６０ｎｍ以下の範囲にあることが好ましく、４４５ｎｍ以上４５５ｎｍ以下の範囲にあることがより好ましい。この範囲に発光ピーク波長を有する発光素子を励起光源として用いることにより、発光素子から外部に放射される光を有効に利用することができるため、発光装置から出射される光の損失を少なくすることができ、発光効率が高い発光装置を得ることができる。
【００２５】
発光素子１０にはＬＥＤなどの半導体発光素子を用いることが好ましい。光源として半導体発光素子を用いることによって、高効率で入力に対する出力のリニアリティが高く、機械的衝撃にも強い安定した発光装置を得ることができる。
【００２６】
半導体発光素子としては、例えば、窒化物系半導体（ＩｎＸＡｌＹＧａ１−Ｘ−ＹＮ、ここでＸ及びＹは、０≦Ｘ、０≦Ｙ、Ｘ＋Ｙ≦１を満たす）を用いた青色、緑色等に発光する半導体発光素子を用いることができる。発光素子１０の発光スペクトルの半値幅は特に制限されない。半値幅は例えば、３０ｎｍ以下とすることができる。
【００２７】
［蛍光体７０］
発光装置１００は、上述したように第一蛍光体７１乃至第四蛍光体７４を含む蛍光部材５０を備える。第一蛍光体７１乃至第四蛍光体７４それぞれについて、一種類の組成に限定されることなく、組成が異なる複数の種類の蛍光体を組み合わせて用いてもよい。第一蛍光体７１、第二蛍光体７２、第三蛍光体７３及び第四蛍光体７４の構成比率を適宜選択することで発光装置の発光効率、演色性等の特性を所望の範囲とすることができる。
【００２８】
（第一蛍光体７１）
第一蛍光体７１は、Ｅｕで賦活されアルカリ土類アルミン酸塩を含む蛍光体である。第一蛍光体７１は、下記式（１）で表される組成を有し、ユーロピウムで賦活される緑色発光の蛍光体であることが好ましい。これにより、次に説明する第一蛍光体７１の各発光特性を比較的容易に得ることができる。
Ｓｒ４Ａｌ１４Ｏ２５：Ｅｕ  （１）
【００２９】
第一蛍光体７１の極大励起波長は、２７０ｎｍ以上４７０ｎｍ以下が好ましく、３７０ｎｍ以上４６０ｎｍ以下がより好ましい。上記発光素子１０の発光ピーク波長の範囲で、効率よく励起させるためである。第一蛍光体７１の発光ピーク波長は、４４０ｎｍ以上５５０ｎｍ以下の範囲にあることが好ましく、４６０ｎｍ以上５３０ｎｍ以下の範囲にあることがより好ましい。このような範囲とすることにより、発光素子１０の発光スペクトルや、後述する第三蛍光体７３の発光スペクトルとの重複を少なくし、第一蛍光体７１の発光スペクトルを基準光源に近づけることができるので、発光装置の演色性を向上させることができる。第一蛍光体７１の発光スペクトルにおける半値幅は、例えば５８ｎｍ以上７８ｎｍ以下であり、６３ｎｍ以上７３ｎｍ以下が好ましい。このような半値幅の範囲にすることにより、色純度を向上させて、緑の領域における発光スペクトルを基準光源に近づけることができ、発光装置の演色性を向上させることができる。
【００３０】
（総蛍光体量に対する第一蛍光体７１の含有比率）
相関色温度が３５００Ｋ以上４５００Ｋ以下の光を発する発光装置の場合、総蛍光体量に対する第一蛍光体７１の含有比率は、３質量％以上であり、６質量％以上であることが好ましく、１５質量％以上であることがより好ましく、３０質量％以上であることが更に好ましい。また、総蛍光体量に対する第一蛍光体７１の含有比率は、５５質量％以下であり、５０質量％以下であることが好ましく、４５質量％以下であることがより好ましく、４０質量％以下であることが更に好ましい。含有比率が上記範囲内のとき、相関色温度が３５００Ｋ以上４５００Ｋ以下の光を発する発光装置の発光スペクトルを基準光源により近づけることができるので、より演色性を高くすることができる。
【００３１】
相関色温度が４５００Ｋ以上５５００Ｋ以下の光を発する発光装置の場合、総蛍光体量に対する第一蛍光体７１の含有比率は、３．５質量％以上であり、６．５質量％以上であることが好ましく、１５．０質量％以上であることがより好ましく、３０．０質量％以上であることが更に好ましい。また、総蛍光体量に対する第一蛍光体７１の含有比率は、６５．０質量％以下であり、５５．０質量％以下であることが好ましく、５０．０質量％以下であることがより好ましく、４５．０質量％以下であることが更に好ましい。含有比率が上記範囲内のとき、相関色温度が４５００Ｋ以上５５００Ｋ以下の光を発する発光装置の発光スペクトルを基準光源により近づけることができるので、より演色性を高くすることができる。
【００３２】
相関色温度が５５００Ｋ以上７０００Ｋ以下の光を発する発光装置の場合、総蛍光体量に対する第一蛍光体７１の含有比率は、７．５質量％以上であり、１０質量％以上であることが好ましく、２０質量％以上であることがより好ましく、３０質量％以上であることが更に好ましい。また、総蛍光体量に対する第一蛍光体７１の含有比率は、５５質量％以下であり、５０質量％以下であることが好ましく、４５質量％以下であることがより好ましく、４０質量％以下であることが更に好ましい。含有比率が上記範囲内のとき、相関色温度が５５００Ｋ以上７０００Ｋ以下の光を発する発光装置の発光スペクトルを基準光源により近づけることができるので、より演色性を高くすることができる。
【００３３】
（第二蛍光体７２）
第二蛍光体７２は、Ｍｎで賦活されフルオロジャーマネートを含む蛍光体である。第二蛍光体７２は、下記式（２）で表される組成を有し、マンガンで賦活される深赤色発光の蛍光体であることが好ましい。この蛍光体の発光ピーク波長は、赤色発光の他の蛍光体よりも比較的長く、６５０ｎｍ以上である。そのため、長波長側の発光スペクトルを効果的に基準光源に近づけることができるので、発光装置の演色性を高くすることができる。
（ｘ-ｓ）ＭｇＯ・（ｓ/２）Ｓｃ２Ｏ３・ｙＭｇＦ２・ｕＣａＦ２・（１-ｔ）ＧｅＯ２・（ｔ/２）Ｍｔ２Ｏ３：ｚＭｎ４+    （２）
【００３４】
ただし、式（２）中、ｘ、ｙ、ｚ、ｓ、ｔ及びｕは、２．０≦ｘ≦４．０、０＜ｙ＜１．５、０＜ｚ＜０．０５、０≦ｓ＜０．５、０＜ｔ＜０．５、０≦ｕ＜１．５を満たし、ｙ+ｕ＜１．５を満たすことが好ましい。また上記一般式（２）中のＭｔはＡｌ、Ｇａ及びＩｎからなる群から選択される少なくとも１種である。
【００３５】
式（２）において、好ましくは０．０５≦ｓ≦０．３、０．０５≦ｔ＜０．３であり、これによりさらに輝度を向上させることができる。更に式（２）は、３．４ＭｇＯ・０．１Ｓｃ２Ｏ３・０．５ＭｇＦ２・０．８８５ＧｅＯ２・０．１Ｇａ２Ｏ３：０．０１５Ｍｎ４+で表わされることが好ましい。これにより、上記発光素子の発光ピーク波長を含む波長範囲の光により、第二蛍光体７２を効率よく励起することができる。
【００３６】
第二蛍光体７２の発光スペクトルにおける半値幅は、特に制限されず、例えば４５ｎｍ以下であり、４０ｎｍ以下であることが好ましい。このような半値幅の範囲にすることにより、色純度を向上させて、赤の領域における発光スペクトルを基準光源に近づけることができるので、発光装置の演色性を向上させることができる。また、第二蛍光体７２の発光スペクトルは、最大発光強度を１００％とした場合に、６００ｎｍ以上６２０ｎｍ以下の範囲における平均発光強度が２０％以下であることが好ましく、１０％以下であることがより好ましい。上記上限値以下であると、第二蛍光体７２の発光スペクトルが後述する第四蛍光体７４の発光スペクトルと重複することが少なくなるので、第四蛍光体７４の発光スペクトルの効果を得て演色性を向上させることができる。
【００３７】
（総蛍光体量に対する第二蛍光体７２の含有比率）
相関色温度が３５００Ｋ以上４５００Ｋ以下の光を発する発光装置の場合、総蛍光体量に対する第二蛍光体７２の含有比率は、２５質量％以上であり、２８質量％以上であることが好ましく、３０質量％以上であることがより好ましい。また、総蛍光体量に対する第二蛍光体７２の含有比率は、３７質量％以下であり、３６質量％以下であることが好ましく、３３質量％以下であることがより好ましい。含有比率が上記範囲内のとき、相関色温度が３５００Ｋ以上４５００Ｋ以下の光を発する発光装置の発光スペクトルを基準光源により近づけることができるので、より演色性を高くすることができる。
【００３８】
相関色温度が４５００Ｋ以上５５００Ｋ以下の光を発する発光装置の場合、総蛍光体量に対する第二蛍光体７２の含有比率は、２２質量％以上であり、２４質量％以上であることが好ましく、２６質量％以上であることがより好ましい。また、総蛍光体量に対する第二蛍光体７２の含有比率は、３２質量％以下であり、３１質量％以下であることが好ましく、２９質量％以下であることがより好ましい。含有比率が上記範囲内のとき、相関色温度が４５００Ｋ以上５５００Ｋ以下の光を発する発光装置の発光スペクトルを基準光源により近づけることができるので、より演色性を高くすることができる。
【００３９】
相関色温度が５５００Ｋ以上７０００Ｋ以下の光を発する発光装置の場合、総蛍光体量に対する第二蛍光体７２の含有比率は、１６質量％以上であり、１７質量％以上であることが好ましく、１８質量％以上であることがより好ましい。また、総蛍光体量に対する第二蛍光体７２の含有比率は、２４質量％以下であり、２０質量％以下であることが好ましく、１９質量％以下であることがより好ましい。含有比率が上記範囲内のとき、相関色温度が５５００Ｋ以上７０００Ｋ以下の光を発する発光装置の発光スペクトルを基準光源により近づけることができるので、より演色性を高くすることができる。
【００４０】
（第三蛍光体７３）
第三蛍光体７３は、Ｃｅで賦活され希土類アルミン酸塩を含む蛍光体である。第三蛍光体７３は下記式（３）で表される組成を有し、セリウムで賦活される黄色発光の蛍光体であることが好ましい。これにより、次に説明する第三蛍光体７３の各発光特性を比較的容易に得ることができる。
Ｙ３Ａｌ５Ｏ１２：Ｃｅ    （３）
【００４１】
第三蛍光体７３の極大励起波長は、２２０ｎｍ以上４９０ｎｍ以下が好ましく、４３０ｎｍ以上４７０ｎｍ以下がより好ましい。上記発光素子１０の発光ピーク波長の範囲で、効率よく励起させるためである。第三蛍光体７３の発光ピーク波長は、４８０ｎｍ以上６３０ｎｍ以下が好ましく、５００ｎｍ以上５６０ｎｍ以下がより好ましい。このような範囲とすることにより、第一蛍光体７１の発光スペクトルや、後述する第四蛍光体７４の発光スペクトルとの重複を少なくし、第三蛍光体７３の発光スペクトルを基準光源に近づけることができ、発光装置の演色性を向上させることができる。第三蛍光体７３の発光スペクトルにおける半値幅は、例えば９５ｎｍ以上１１５ｎｍ以下であり、１００ｎｍ以上１１０ｎｍ以下が好ましい。このような半値幅の範囲にすることにより、色純度を向上させて、黄色の領域における発光スペクトルを基準光源に近づけることができるので、発光装置の演色性を向上させることができる。
【００４２】
（総蛍光体量に対する第三蛍光体の含有比率）
相関色温度が３５００Ｋ以上４５００Ｋ以下の光を発する発光装置の場合、総蛍光体量に対する第三蛍光体７３の含有比率は、１８質量％以上であり、２０質量％以上であることが好ましく、２７質量％以上であることがより好ましい。また、総蛍光体量に対する第三蛍光体７３の含有比率は、５９質量％以下であり、５０質量％以下であることが好ましく、３５質量％以下であることがより好ましい。含有比率が上記範囲内のとき、相関色温度が３５００Ｋ以上４５００Ｋ以下の光を発する発光装置の発光スペクトルを基準光源に近づけることができ、演色性を高くすることができる。
【００４３】
相関色温度が４５００Ｋ以上５５００Ｋ以下の光を発する発光装置の場合、総蛍光体量に対する第三蛍光体７３の含有比率は、２０質量％以上であり、２５質量％以上であることが好ましく、３０質量％以上であることがより好ましい。また、総蛍光体量に対する第三蛍光体７３の含有比率は、６０質量％以下であり、５０質量％以下であることが好ましく、３５質量％以下であることがより好ましい。含有比率が上記範囲内のとき、相関色温度が４５００Ｋ以上５５００Ｋ以下の光を発する発光装置の発光スペクトルを基準光源に近づけることができ、演色性を高くすることができる。
【００４４】
相関色温度が５５００Ｋ以上７０００Ｋ以下の光を発する発光装置の場合、総蛍光体量に対する第三蛍光体７３の含有比率は、２５質量％以上であり、３０質量％以上であることが好ましく、３５質量％以上であることがより好ましい。また、総蛍光体量に対する第三蛍光体７３の含有比率は、７０質量％以下であり、６０質量％以下であることが好ましく、５０質量％以下であることがより好ましい。含有比率が上記範囲内のとき、相関色温度が５５００Ｋ以上７０００Ｋ以下の光を発する発光装置の発光スペクトルを基準光源に近づけることができ、演色性を高くすることができる。
【００４５】
（第四蛍光体７４）
第四蛍光体７４は、Ｅｕで賦活されＳｒ、Ｃａ、Ａｌを組成に有するシリコンナイトライドを含む蛍光体である。第四蛍光体７４は、下記式（４）で表される組成を有し、ユーロピウムで賦活される赤色発光の蛍光体であることが好ましい。これにより、次に説明する第四蛍光体７４の各発光特性を比較的容易に得ることができる。
（Ｓｒ，Ｃａ）ＡｌＳｉＮ３：Ｅｕ    （４）
【００４６】
第四蛍光体７４は、Ｓｒ及びＣａからなる群から選択される少なくとも１種を含むが、ＳｒとＣａの両方を含むことが好ましく、Ｓｒ及びＣａのうちのＳｒ含有比率が０．８モル％以上であることがより好ましい。第四蛍光体７４の発光ピーク波長を、以下に述べる範囲とすることができるからである。
【００４７】
第四蛍光体７４の発光ピーク波長は、６２０ｎｍ以上６５０ｎｍ以下が好ましく、６３０ｎｍ以上６４５ｎｍ以下がより好ましい。上記下限値以上であると、第二蛍光体７２の発光ピーク波長と第四蛍光体７４の発光ピーク波長の間の発光成分が不足することなく、発光スペクトルを基準光源に近づけることができる。上記上限値以下であると、第四蛍光体７４の発光スペクトルが第二蛍光体７２の発光スペクトルと重複することが少なくなるので、第二蛍光体７２の発光スペクトルの効果を得て演色性を向上させることができる。第四蛍光体７４の発光スペクトルにおける半値幅は、例えば８０ｎｍ以上１００ｎｍ以下であり、８５ｎｍ以上９５ｎｍ以下が好ましい。このような半値幅の範囲とすることにより、第四蛍光体７４の発光スペクトルが第二蛍光体７２の発光スペクトルと重複することが少なくなるので、第二蛍光体７２の発光スペクトルの効果を得て演色性を向上させることができる。
【００４８】
（総蛍光体量に対する第四蛍光体７４の含有比率）
相関色温度が３５００Ｋ以上４５００Ｋ以下の光を発する発光装置の場合、総蛍光体量に対する第四蛍光体７４の含有比率は、２．９質量％以上３．３質量％以下である。含有比率が上記範囲内のとき、発光装置の発光スペクトルを基準光源により近づけることができるので、より演色性を高くすることができる。
【００４９】
相関色温度が４５００Ｋ以上５５００Ｋ以下の光を発する発光装置の場合、総蛍光体量に対する第四蛍光体７４の含有比率は、２．８質量％以上３．０質量％以下である。含有比率が上記範囲内のとき、発光装置の発光スペクトルを基準光源により近づけることができるので、より演色性を高くすることができる。
【００５０】
相関色温度が５５００Ｋ以上７０００Ｋ以下の光を発する発光装置の場合、総蛍光体量に対する第四蛍光体７４の含有比率は、２．４質量％以上２．９質量％以下である。含有比率が上記範囲内のとき、発光装置の発光スペクトルを基準光源により近づけることができるので、より演色性を高くすることができる。
【００５１】
（第三蛍光体７３に対する第一蛍光体７１の含有比）
相関色温度が３５００Ｋ以上４５００Ｋ以下の光を発する発光装置の場合、第三蛍光体７３に対する第一蛍光体７１の含有比は、０．０５以上３．００以下であることが好ましく、０．５０以上２．００以下であることがより好ましく、１．００以上１．５０以下であることが更に好ましい。含有比が上記範囲内のとき、発光装置の発光スペクトルをより基準光源に近づけることができるので、より演色性を高くすることができる。
【００５２】
相関色温度が４５００Ｋ以上５５００Ｋ以下の光を発する発光装置の場合、第三蛍光体７３に対する第一蛍光体７１の含有比は、０．０６以上４．７０以下であることが好ましく、０．３０以上２．７０以下であることがより好ましく、１．００以上１．５０以下であることが更に好ましい。含有比が上記範囲内のとき、発光装置の発光スペクトルをより基準光源に近づけることができるので、より演色性を高くすることができる。
【００５３】
相関色温度が５５００Ｋ以上７０００Ｋ以下の光を発する発光装置の場合、第三蛍光体７３に対する第一蛍光体７１の含有比は、０．１０以上２．１０以下であることが好ましく、０．２０以上１．５以下であることがより好ましく、０．４０以上１．００以下であることが更に好ましい。含有比が上記範囲内のとき、発光装置の発光スペクトルをより基準光源に近づけることができるので、より演色性を高くすることができる。
【００５４】
（発光素子１０に対する第一蛍光体７１の発光ピーク強度比）
蛍光部材５０が第一蛍光体７１を含む発光装置より得られる横軸に波長、縦軸に発光強度を採った発光スペクトルにおいて、発光素子１０の発光ピーク強度に対する第一蛍光体７１の発光ピーク強度比は特に制限されず、目的とする相関色温度及び所望の発光特性に応じて適宜選択してもよい。
【００５５】
相関色温度が３５００Ｋ以上４５００Ｋ以下の光を発する発光装置の場合、発光素子１０に対する第一蛍光体７１の発光ピーク強度比は、発光素子１０の発光強度を１とする場合に、０．４０以上０．７５以下であることが好ましく、０．４５以上０．７０以下であることがより好ましく、０．５０以上０．６５以下であることが更に好ましい。発光ピーク強度比が上記範囲内のとき、発光装置の発光スペクトルを基準光源により近づけることができるので、より演色性を高くすることができる。
【００５６】
相関色温度が４５００Ｋ以上５５００Ｋ以下の光を発する発光装置の場合、発光素子１０に対する第一蛍光体７１の発光ピーク強度比は、発光素子１０の発光強度を１とする場合に、０．３４以上０．６０以下であることが好ましく、０．３５以上０．５５以下であることがより好ましく、０．４０以上０．５０以下であることが更に好ましい。発光ピーク強度比が上記範囲内のとき、発光装置の発光スペクトルを基準光源により近づけることができるので、より演色性を高くすることができる。
【００５７】
相関色温度が５５００Ｋ以上７０００Ｋ以下の光を発する発光装置の場合、発光素子１０に対する第一蛍光体７１の発光ピーク強度比は、発光素子１０の発光強度を１とする場合に、０．２５以上０．４２以下であることが好ましく、０．３０以上０．４０以下であることがより好ましく、０．３３以上０．３８以下であることが更に好ましい。発光ピーク強度比が上記範囲内のとき、発光装置の発光スペクトルを基準光源により近づけることができるので、より演色性を高くすることができる。
【００５８】
発光装置は、第一蛍光体７１から第四蛍光体７４以外のその他の蛍光体を必要に応じて含んでいてもよい。発光装置がその他の蛍光体を含む場合、その含有量は特に制限されないが、本発明の発光特性が得られるように適宜調整される。
【実施例】
【００５９】
（蛍光体）
実施例及び比較例の蛍光体として以下に示す蛍光体をそれぞれ準備した。
第一蛍光体７１として、Ｓｒ４Ａｌ１４Ｏ２５：Ｅｕで表される組成を有し、発光ピーク波長を４９４ｎｍ付近に有する緑色発光の蛍光体（以下、「ＳＡＥ」ともいう。）を準備した。
第二蛍光体７２として、３．４ＭｇＯ・０．１Ｓｃ２Ｏ３・０．５ＭｇＦ２・０．８８５ＧｅＯ２・０．１Ｇａ２Ｏ３：０．０１５Ｍｎ４+で表される組成を有し、発光ピーク波長を６５８ｎｍ付近に有する深赤色発光の蛍光体（以下、「ＭＧＦ」ともいう。）を準備した。
第三蛍光体７３として、Ｙ３Ａｌ５Ｏ１２：Ｃｅで表される組成を有し、発光ピーク波長を５４４ｎｍ付近に有する希土類アルミニウムガーネット蛍光体（以下、「ＹＡＧ」ともいう。）を準備した。
第四蛍光体７４として、（Ｓｒ，Ｃａ）ＡｌＳｉＮ３：Ｅｕで表される組成を有し、発光ピーク波長を６３５ｎｍ付近に有する赤色発光の窒化物蛍光体（以下、「ＳＣＡＳＮ」ともいう。）を準備した。
【００６０】
（実施例１）
発光ピーク波長が４５０ｎｍである青色発光ＬＥＤと、ＳＡＥ、ＭＧＦ、ＹＡＧ及びＳＣＡＳＮを組合せて、発光装置を作製した。
【００６１】
総蛍光体量に対するＳＡＥの含有比率が６．９％であり、相関色温度が５０００Ｋ付近になるように配合した蛍光体をシリコーン樹脂に添加し、混合分散した後、更に脱泡することにより蛍光体含有樹脂組成物を得た。この蛍光体含有樹脂組成物を発光素子の上に注入、充填し、さらに加熱することで樹脂組成物を硬化させた。このような工程により発光装置を作製した。
【００６２】
（実施例２から４）
各蛍光体の含有比率が以下の表１に示す値となるように蛍光体の量を変更したこと以外は実施例１と同様にして発光装置を作製した。
【００６３】
実施例１から４により得られた発光装置について、発光色の色度座標、相関色温度（Ｔｃｐ；Ｋ）、平均演色評価数（Ｒａ）、特殊演色評価数（Ｒ９〜Ｒ１５）を測定した。以下では、平均演色評価数及び特殊演色評価数を併せて、単に「演色評価数」ともいう。
発光装置の発光スペクトルは、日立ハイテクノロジーズ製の分光蛍光光度計Ｆ−４５００を用いて測定した。なお、以下に述べる他の実施例および比較例についても同様に測定した。
その演色評価数以外の結果を以下の表１に示し、演色評価数の結果を以下の表２に示す。また、表２におけるＲｔはＲ９からＲ１５までの各演色評価数の総和を表わす。
【００６４】
【表１】
0006460040.tif 000002
【００６５】
【表２】
0006460040.tif 000003
【００６６】
表１及び２に示されるように、実施例１から４は、ＳＡＥの量を調整することで、後述する比較例１から３よりもＲｔが大きくなっており、高い演色性を有する発光装置とすることができた。
【００６７】
表１より、実施例１から４は、いずれも相関色温度が４５００Ｋ以上５５００Ｋ以下の範囲にあった。実施例２、３及び４は、総蛍光体量に対するＳＡＥの含有比率が７．０質量％以上５５．０質量％以下であり、総蛍光体量に対するＭＧＦの含有比率が２２．０質量％以上３１．０質量％以下の範囲に含まれている。また、総蛍光体量に対するＹＡＧの含有比率が２０．０質量％以上５５．０質量％以下の範囲に含まれている。また、総蛍光体量に対するＳＣＡＳＮの含有比率が２．８質量％以上３．０質量％以下の範囲に含まれている。第三蛍光体７３（ＹＡＧ）に対する第一蛍光体７１（ＳＡＥ）の含有比が０．３０以上２．７０以下の範囲に含まれている。これらの含有比率および含有比とすることにより、発光装置の発光スペクトルを基準光源に近似させることができる。これらの実施例２、３及び４は、平均演色評価数Ｒａが９０以上であり、特殊演色評価数Ｒ９、Ｒ１０、Ｒ１１、Ｒ１２、Ｒ１３、Ｒ１４及びＲ１５が、いずれも６０以上であり、Ｒｔの数値が５７０以上を示しており、演色性が特に優れることが分かる。
【００６８】
図２は、比較例１及び２、実施例１及び２に係る発光装置の発光スペクトルを、図３は、比較例１及び３、実施例３及び４に係る発光装置の発光スペクトルを、それぞれ５３０ｎｍの発光強度を基準に規格化して比較した図である。図２及び図３の発光スペクトルは、波長に対する相対発光強度を示す。また、５０００Ｋの基準光源のスペクトルも各図に併せて示す。実施例２、３及び４は、表１に示されるように、発光スペクトルにおける第一蛍光体７１の発光素子１０に対する発光ピークの強度比が、０．３５以上０．６０以下である。これらの実施例２、３及び４は、表２に示されるように、平均演色評価数Ｒａが９０以上であり、特殊演色評価数Ｒ９、Ｒ１０、Ｒ１１、Ｒ１２、Ｒ１３、Ｒ１４及びＲ１５が、いずれも６０以上であり、Ｒｔの数値が５７０以上を示しており、演色性が特に優れることが分かる。
【００６９】
（比較例１）
蛍光体として、ＳＡＥを使用することなく、ＭＧＦとＹＡＧとＳＣＡＳＮを組み合わせて用いたこと以外は実施例１と同様にして発光装置を作製した。
【００７０】
（比較例２および３）
各蛍光体の含有比率が以下の表３に示す値となるように蛍光体の量を変更したこと以外は実施例１と同様にして発光装置を作製した。
【００７１】
比較例１から３により得られた発光装置について、その演色評価数以外の結果を以下の表３に、演色評価数の結果を以下の表４に示す。
【００７２】
【表３】
0006460040.tif 000004
【００７３】
【表４】
0006460040.tif 000005
【００７４】
表４に示されるように、比較例１から３は、Ｒｔが実施例よりも小さく、発光装置の演色性が低かった。
【００７５】
（実施例５から１０）
各蛍光体の含有比率が以下の表５に示す値となるように蛍光体の量を変更したことと、相関色温度を４０００Ｋ前後に合わせたこと以外は実施例１と同様にして発光装置を作製した。
【００７６】
実施例５から１０により得られた発光装置について、その演色評価数以外の結果を以下の表５に、演色評価数の結果を以下の表６に示す。
【００７７】
【表５】
0006460040.tif 000006
【００７８】
【表６】
0006460040.tif 000007
【００７９】
表５及び６に示されるように、実施例５から１０は、ＳＡＥの量を調整することで、後述する比較例４および５よりもＲｔが大きくなっており、高い演色性を有する発光装置とすることができた。
【００８０】
表５より、実施例５から１０は、いずれも相関色温度が３５００Ｋ以上４５００Ｋ以下の範囲にあった。実施例５から１０は、総蛍光体量に対するＳＡＥの含有比率が３．０質量％以上５５．０質量％以下であり、総蛍光体量に対するＭＧＦの含有比率が２５．０質量％以上３７．０質量％以下の範囲に含まれている。また、総蛍光体量に対するＹＡＧの含有比率が１８．０質量％以上５９．０質量％以下の範囲に含まれている。また、総蛍光体量に対するＳＣＡＳＮの含有比率が２．９質量％以上３．３質量％以下の範囲に含まれている。第三蛍光体７３（ＹＡＧ）に対する第一蛍光体７１（ＳＡＥ）の含有比が０．０５以上３．００以下の範囲に含まれている。これらの実施例５から１０は、これらの含有比率および含有比とすることにより、発光装置の発光スペクトルを基準光源に近似させることができる。これらの実施例５から１０は、特殊演色評価数Ｒ９、Ｒ１０、Ｒ１１、Ｒ１２、Ｒ１３、Ｒ１４及びＲ１５が、いずれも６０以上であり、Ｒｔの数値が５５５よりも大きい値を示しており、演色性に優れることが分かる。
【００８１】
さらに、実施例８及び９は、総蛍光体量に対するＳＡＥの含有比率が１６．５質量％以上５０．０質量％以下であり、総蛍光体量に対するＭＧＦの含有比率が２８．０質量％以上３３．０質量％以下であり、総蛍光体量に対するＹＡＧの含有比率が２０．０質量％以上３５．０質量％以下であり、総蛍光体量に対するＳＣＡＳＮの含有比率が３．０質量％以上３．２質量％以下の範囲に含まれる。第三蛍光体７３（ＹＡＧ）に対する第一蛍光体７１（ＳＡＥ）の含有比が０．４０以上２．６０以下の範囲に含まれる。これらの実施例８及び９は、平均演色評価数Ｒａが９０以上であり、特殊演色評価数Ｒ９、Ｒ１０、Ｒ１１、Ｒ１２、Ｒ１３、Ｒ１４及びＲ１５が、いずれも６０以上であり、Ｒｔの数値が６００以上を示しており、演色性が特に優れることが分かる。
【００８２】
図４は、比較例４及び実施例５から７に係る発光装置の発光スペクトルを、図５は、比較例４及び実施例８、９に係る発光装置の発光スペクトルを、図６は、比較例４及び５、実施例１０に係る発光装置の発光スペクトルを、それぞれ５３０ｎｍの発光強度を基準に規格化して比較した図である。図４乃至図６の発光スペクトルは、波長に対する相対発光強度を示す。また、４０００Ｋの基準光源のスペクトルも各図に併せて示す。実施例５から１０は、表５に示されるように、発光スペクトルにおける第一蛍光体７１の発光素子１０に対する発光ピークの強度比が、０．４０以上０．７５以下である。これらの実施例５から１０は、表６に示されるように、Ｒｔの数値が５５５以上を示しており、演色性に優れることが分かる。さらに、実施例８は、表５に示されるように、発光スペクトルにおける第一蛍光体７１の発光素子１０に対する発光ピークの強度比が、０．６０以上０．６５以下である。この実施例８は、表６に示されるように、Ｒｔの数値が６６０以上を示しており、演色性が特に優れることが分かる。
【００８３】
（比較例４）
蛍光体として、ＳＡＥを使用することなく、ＭＧＦとＹＡＧとＳＣＡＳＮを組み合わせて用いたことと、相関色温度を４０００Ｋ付近に合わせたこと以外は実施例１と同様にして発光装置を作製した。
【００８４】
（比較例５）
各蛍光体の含有比率が以下の表７に示す値となるように蛍光体の量を変更したこと以外は実施例１と同様にして発光装置を作製した。
【００８５】
比較例４および５により得られた発光装置について、その演色評価数以外の結果を以下の表７に、演色評価数の結果を以下の表８に示す。
【００８６】
【表７】
0006460040.tif 000008
【００８７】
【表８】
0006460040.tif 000009
【００８８】
表８に示されるように、比較例４および５は、Ｒｔが実施例よりも小さく、発光装置の演色性が低かった。
【００８９】
（実施例１１から１５）
各蛍光体の含有比率が以下の表９に示す値となるように蛍光体の量を変更したことと、相関色温度を６５００Ｋ前後に合わせたこと以外は実施例１と同様にして発光装置を作製した。
【００９０】
実施例１１から１５により得られた発光装置について、その演色評価数以外の結果を以下の表９に、演色評価数の結果を以下の表１０に示す。
【００９１】
【表９】
0006460040.tif 000010
【００９２】
【表１０】
0006460040.tif 000011
【００９３】
表９及び１０に示されるように、実施例１１から１５は、ＳＡＥの量を調整することにより、後述する比較例６および７よりもＲｔが大きくなっており、高い演色性を有する発光装置とすることができた。
【００９４】
表９に示されるように、実施例１１から１５は、いずれも相関色温度が５５００Ｋ以上７０００Ｋ以下の範囲にあった。実施例１１から１５は、表９に示されるように、総蛍光体量に対するＳＡＥの含有比率が７．５質量％以上５５．０質量％以下であり、総蛍光体量に対するＭＧＦの含有比率が１６．０質量％以上２４．０質量％以下の範囲に含まれている。また、総蛍光体量に対するＹＡＧの含有比率が２５．０質量％以上７０．０質量％以下の範囲に含まれている。また、総蛍光体量に対するＳＣＡＳＮの含有比率が２．４質量％以上２．９質量％以下の範囲に含まれている。第三蛍光体７３（ＹＡＧ）に対する第一蛍光体７１（ＳＡＥ）の含有比が０．１０以上２．１０以下の範囲に含まれる。これらの含有比率および含有比とすることにより、発光装置の発光スペクトルを基準光源に近似させることができる。これらの実施例１１から１５は、表１０に示されるように、平均演色評価数Ｒａが９０以上であり、特殊演色評価数Ｒ９、Ｒ１０、Ｒ１１、Ｒ１２、Ｒ１３、Ｒ１４及びＲ１５が、いずれも６０以上であり、Ｒｔの数値が５８０以上を示しており、演色性が優れることが分かる。
【００９５】
さらに、実施例１３及び１４は、表９に示されるように、総蛍光体量に対するＳＡＥの含有比率が１５．０質量％以上４０．０質量％以下であり、総蛍光体量に対するＭＧＦの含有比率が１８．０質量％以上２０．０質量％以下であり、総蛍光体量に対するＹＡＧの含有比率が３５．０質量％以上６０．０質量％以下であり、総蛍光体量に対するＳＣＡＳＮの含有比率が２．６質量％以上２．７質量％以下の範囲に含まれる。第三蛍光体７３（ＹＡＧ）に対する第一蛍光体７１（ＳＡＥ）の含有比が０．３０以上１．００以下の範囲に含まれる。これらの実施例１３及び１４は、表１０に示されるように、Ｒｔの数値が６１０以上を示しており、演色性が特に優れることが分かる。
【００９６】
図７は、比較例６及び実施例１１から１３に係る発光装置の発光スペクトルを、図８は、比較例６及び７、実施例１４および１５に係る発光装置の発光スペクトルを、それぞれ５３０ｎｍの発光強度を基準に規格化して比較した図である。図７及び図８の発光スペクトルは、波長に対する相対発光強度を示す。また、６５００Ｋの基準光源のスペクトルも各図に併せて示す。実施例１１から１５は、表９に示されるように、発光スペクトルにおける第一蛍光体７１の発光素子１０に対する発光ピークの強度比が、０．２５以上０．４２以下である。これらの実施例１１から１５は、表１０に示されるように、Ｒｔの数値が５８０以上を示しており、演色性が優れることが分かる。さらに、実施例１３及び１４は、表９に示されるように、発光スペクトルにおける第一蛍光体７１の発光素子１０に対する発光ピークの強度比が、０．３０以上０．３８以下である。これらの実施例１３及び１４は、表１０に示されるように、Ｒｔの数値が６１０以上を示しており、演色性が特に優れることが分かる。
【００９７】
（比較例６）
蛍光体として、ＳＡＥを使用することなく、ＭＧＦとＹＡＧとＳＣＡＳＮを組み合わせて用いたことと、相関色温度を６０００Ｋ付近に合わせたこと以外は実施例１と同様にして発光装置を作製した。
【００９８】
（比較例７）
各蛍光体の含有比率が以下の表１１に示す値となるように蛍光体の量を変更したこと以外は実施例１と同様にして発光装置を作製した。
【００９９】
比較例６および７により得られた発光装置について、その演色評価数以外の結果を以下の表１１に、演色評価数の結果を以下の表１２に示す。
【０１００】
【表１１】
0006460040.tif 000012
【０１０１】
【表１２】
0006460040.tif 000013
【０１０２】
表１２に示されるように、比較例６および７は、Ｒｔが実施例よりも小さく、発光装置の演色性が低かった。
【産業上の利用可能性】
【０１０３】
本開示の発光装置は、青色発光ダイオード又は紫外線発光ダイオードを励起光源とする発光特性に優れた照明器具、ＬＥＤディスプレイ、カメラのフラッシュライトなどに利用することができる。特に、高い演色性が求められる照明器具や光源に好適に利用することができる。
【符号の説明】
【０１０４】
１０：発光素子、５０：蛍光部材、７０：蛍光体、７１：第一蛍光体、７２：第二蛍光体、７３：第三蛍光体、７４：第四蛍光体、１００：発光装置。
【図１】
0006460040.tif 000014
【図２】
0006460040.tif 000015
【図３】
0006460040.tif 000016
【図４】
0006460040.tif 000017
【図５】
0006460040.tif 000018
【図６】
0006460040.tif 000019
【図７】
0006460040.tif 000020
【図８】
0006460040.tif 000021